(57)【要約】【課題】電子機器の筐体内部においてカードスロットをアースするためのアースバネが変形することを抑えてカードスロットの接地不良を抑制できるようにする。【解決手段】電子機器は、筐体の一部を構成するブラケット２と、ブラケットの内面２ａから突出する導電性突起部３と、導電性突起部と間隔をあけてブラケットの内面側に配されるカードスロット４と、導電性突起部とカードスロットとの間に配されてこれらを電気接続するアースバネ５と、を備え、アースバネは、ブラケットの内面に固定される固定部５１と、固定部に対してブラケットの内面から離れる方向に延び、かつ、弾性的に変位可能とされ、カードスロットに接触可能な第一接触部５２と、第一接触部から導電性突起部に向けて延び、かつ、第一接触部に対して弾性的に変位可能とされ、導電性突起部に接触する第二接触部５３と、を備える。【選択図】図５
2019125503.tif 000002
【特許請求の範囲】
【請求項１】
導電性を有し、筐体の一部を構成するブラケットと、
前記筐体の内面をなす前記ブラケットの内面から突出する導電性突起部と、
前記導電性突起部と間隔をあけた位置において前記ブラケットの内面側に配されるカードスロットと、
前記導電性突起部と前記カードスロットとの間に配され、前記導電性突起部と前記カードスロットとを電気接続することで、前記カードスロットをアースするアースバネと、を備え、
前記アースバネは、
前記ブラケットの内面に固定される固定部と、
前記固定部に対して前記ブラケットの内面から離れる方向に延び、かつ、前記固定部に対して弾性的に変位可能とされ、前記カードスロットのうち前記導電性突起部に対向する部位に接触可能な第一接触部と、
前記ブラケットの内面から離れた位置において、前記第一接触部から前記導電性突起部に向けて延び、かつ、前記第一接触部に対して弾性的に変位可能とされ、前記導電性突起部のうち前記カードスロットに対向する部位に接触する第二接触部と、
を備える電子機器。
【請求項２】
前記第一接触部は、前記固定部から延びる帯板状に形成され、
二つの前記第二接触部が、前記第一接触部の両側部から互いに逆向きに延びると共に、それぞれ前記第一接触部に対して折り返されることで互いに交差し、
二つの前記第二接触部のうち互いに交差する部分よりも前記第二接触部の延長方向の先端側の部位が、前記導電性突起部に接触する請求項１に記載の電子機器。
【請求項３】
前記ブラケットには、前記カードスロットの挿入口を前記筐体の外部に露出させるための露出孔が形成され、
前記固定部は、前記露出孔の一部領域を覆っている請求項１又は請求項２に記載の電子機器。
【請求項４】
前記導電性突起部は、前記ブラケットの外面側において前記カードスロットの挿入口を覆うスロットカバーを前記ブラケットにねじ止めするためのナット部品である請求項１から請求項３のいずれか一項に記載の電子機器。
【発明の詳細な説明】
【技術分野】
【０００１】
本発明は、電子機器に関する。
【背景技術】
【０００２】
従来、表示装置等の電子機器には、映像データや画像データなどが記憶されたカード型記憶媒体（以下メモリーカードと呼ぶ。）を、挿抜可能に取り付けるためのカードスロットを備えたものがある。カードスロットは、電子機器の筐体内部に設けられる。カードスロットは、筐体にアース（接地）される必要がある。
特許文献１には、筐体内部に配されたプリント配線基板を筐体に接地するために、筐体の内面とプリント配線基板との間にアースバネを設けた構成が開示されている。
【先行技術文献】
【特許文献】
【０００３】
【特許文献１】特開２０１４−２０３９６５号公報
【発明の概要】
【発明が解決しようとする課題】
【０００４】
カードスロットを備える電子機器では、例えば特許文献１のアースバネを、筐体の内面とカードスロットとの間に設けることで、カードスロットを筐体にアース（接地）することが考えられる。
しかしながら、筐体が大きくなる等して、カードスロットから筐体の内面までの距離が長くなってしまうと、これに伴ってアースバネの大型化が避けられない。その結果として、表示装置等の電子機器の組み立て作業において、作業者がアースバネに触れる等してアースバネが変形してしまう可能性が高い。アースバネが変形してしまうと、カードスロットの接地不良が発生する。
【０００５】
本発明は、上述した事情に鑑みたものであって、アースバネが変形することを効果的に抑えて、カードスロットの接地不良を抑制できる電子機器を提供することを目的とする。
【課題を解決するための手段】
【０００６】
本発明の電子機器は、導電性を有し、筐体の一部を構成するブラケットと、前記筐体の内面をなす前記ブラケットの内面から突出する導電性突起部と、前記導電性突起部と間隔をあけた位置において前記ブラケットの内面側に配されるカードスロットと、前記導電性突起部と前記カードスロットとの間に配され、前記導電性突起部と前記カードスロットとを電気接続することで、前記カードスロットをアースするアースバネと、を備え、前記アースバネは、前記ブラケットの内面に固定される固定部と、前記固定部に対して前記ブラケットの内面から離れる方向に延び、かつ、前記固定部に対して弾性的に変位可能とされ、前記カードスロットのうち前記導電性突起部に対向する部位に接触可能な第一接触部と、前記ブラケットの内面から離れた位置において、前記第一接触部から前記導電性突起部に向けて延び、かつ、前記第一接触部に対して弾性的に変位可能とされ、前記導電性突起部のうち前記カードスロットに対向する部位に接触する第二接触部と、を備えることを特徴とする。
【発明の効果】
【０００７】
本発明によれば、電子機器を組み立てる際に、作業者がアースバネに触れる等してアースバネが変形することを効果的に抑えることができ、カードスロットの接地不良を抑制できる。
【図面の簡単な説明】
【０００８】
【図１】本発明の一実施形態に係る電子機器をバックカバー側から見た斜視図である。
【図２】図１の電子機器において、ブラケット及び回路基板をバックカバーから取り外した状態を示す分解斜視図である。
【図３】図１，２の電子機器において、カードスロットの近傍をブラケットの外面側から見た拡大斜視図である。
【図４】図３において、スロットカバーをブラケットから取り外した状態を示す分解斜視図である。
【図５】図１，２の電子機器において、カードスロットの近傍をブラケットの内面側から見た拡大斜視図である。
【図６】図５において、カードスロット及び回路基板をブラケットから取り外した状態を示す分解斜視図である。
【図７】図５において、ブラケット、カードスロット、回路基板、アースバネ及び導電性突起部を示す断面図である。
【図８】図５〜７におけるアースバネを示す斜視図である。
【図９】図６において、導電性突起部及びアースバネをブラケットの内面側から見た平面図である。
【図１０】本発明の他の実施形態に係る電子機器のブラケット、カードスロット、アースバネ及び導電性突起部を示す断面図である。
【発明を実施するための形態】
【０００９】
以下、図１〜９を参照して本発明の一実施形態について説明する。
図１〜７に示すように、本実施形態の電子機器１は、ブラケット２と、導電性突起部３と、カードスロット４と、アースバネ５と、を備える。
【００１０】
ブラケット２は、導電性を有し、図１，２に示すように、筐体１０の一部を構成している。導電性突起部３は、導電性を有し、図５〜７に示すように、筐体１０の内面をなすブラケット２の内面２ａから突出している。カードスロット４は、図５，７に示すように、カード型記憶媒体（不図示）を挿抜可能に取り付けるものであり、導電性突起部３と間隔をあけた位置においてブラケット２の内面２ａに配されている。アースバネ５は、導電性を有し、図５，７に示すように、主に導電性突起部３とカードスロット４との間に配される。アースバネ５は、導電性突起部３とカードスロット４とを電気接続することでカードスロット４をアース（接地）する。
以下、本実施形態の電子機器１について、具体的に説明する。
【００１１】
図１，２に示すように、本実施形態に係る電子機器１は表示装置である。本実施形態における電子機器１の筐体１０は、ブラケット２の他に、表示パネル（不図示）及びバックカバー１２を備える。
表示パネルは、前面に画像を表示するための表示面１１Ａを有する。例えば液晶ディスプレイパネルや有機ＥＬディスプレイパネル等、任意であってもよい。
バックカバー１２は、表示パネルの背面（前面と反対側の面）側に配される。バックカバー１２は、表示パネルの背面や表示パネルの背面側に配される各種電気部品などを覆って、これらを保護する。各種電気部品には、カードスロット４や、後述するコネクタ１３、回路基板１４（図６，７等参照）などが含まれる。
【００１２】
本実施形態のブラケット２は、バックカバー１２に形成された開口１５を塞ぐように配される。バックカバー１２の開口１５は、例えば筐体１０の厚さ方向（Ｙ軸方向）に直交する一方向（Ｘ軸方向；以下、直交方向と呼ぶ。）にのみ向いていてもよいが、本実施形態では、筐体１０の厚さ方向にも向いている。
【００１３】
ブラケット２は、バックカバー１２の開口１５のうち直交方向に向く領域を塞ぐ第一カバー板部２１を備える。第一カバー板部２１は、その板厚方向が直交方向に向くように配される。図３，４，６，７に示すように、第一カバー板部２１には、カード型記憶媒体を挿抜するためのカードスロット４の挿入口４１を筐体１０の外部に露出させるためのスロット用露出孔（露出孔）２２が、第一カバー板部２１の板厚方向に貫通して形成されている。スロット用露出孔２２は、高さ寸法（カード型記憶媒体の厚さ方向に対応する寸法）が小さくかつ幅寸法（カード型記憶媒体の幅方向に対応する寸法）が大きいスリット状に形成されている。図示例において、スロット用露出孔２２の高さ寸法はＹ軸方向におけるスロット用露出孔２２の寸法であり、スロット用露出孔２２の幅寸法はＺ軸方向におけるスロット用露出孔２２の寸法である。また、第一カバー板部２１には、スロット用露出孔２２と同様に、コネクタ１３を筐体１０の外部に露出させるコネクタ用露出孔２３が、第一カバー板部２１の板厚方向に貫通して形成されている。
【００１４】
また、図１〜４に示すように、本実施形態のブラケット２は、バックカバー１２の開口１５のうち筐体１０の厚さ方向（Ｙ軸方向）に向く領域を塞ぐ第二カバー板部２４も備える。第二カバー板部２４は、第一カバー板部２１のうち筐体１０の厚さ方向の第一端部に接続され、筐体１０の外面をなす第一カバー板部２１の外面２１ｂから離れる方向（Ｘ軸正方向）に延びている。
さらに、本実施形態のブラケット２は、第一カバー板部２１のうち筐体１０の厚さ方向の第二端部に接続され、筐体１０の内面をなす第一カバー板部２１の内面２１ａから離れる方向（Ｘ軸負方向）に延びる延長板部２５を備える。延長板部２５は、ブラケット２をバックカバー１２に取り付けた状態において、筐体１０の内部に配される（図１，２参照）。延長板部２５は、例えばバックカバー１２の内面に重ねて配される。
本実施形態のブラケット２は、例えば導電性を有する板状部材に折り曲げ加工を施して形成されてよい。
【００１５】
図５〜７に示すように、本実施形態の導電性突起部３は、第一カバー板部２１の内面２１ａから突出している。導電性突起部３の形状は任意であってよい。導電性突起部３は、例えば板状に形成されてもよいし、例えば導電性突起部３の突出方向（Ｘ軸負方向）を軸方向とする円柱や四角柱など任意の外観を有する形状に形成されてよい。本実施形態の導電性突起部３は、その突出方向を軸方向とする六角柱の外観を有する形状に形成されている。
【００１６】
導電性突起部３は、第一カバー板部２１の内面２１ａに固定されることで、ブラケット２に電気接続されている。導電性突起部３は、例えば接着など任意の手法によって第一カバー板部２１の内面２１ａに固定されてよいが、本実施形態では、第一カバー板部２１に圧入されることで第一カバー板部２１の内面２１ａに固定されている。
導電性突起部３は、第一カバー板部２１のスロット用露出孔２２と間隔をあけた位置に配されている。具体的に、導電性突起部３は、スロット用露出孔２２に対してその高さ方向（Ｙ軸方向）に間隔をあけて位置している。また、導電性突起部３は、Ｙ軸方向においてスロット用露出孔２２と延長板部２５との間に位置している。
【００１７】
本実施形態の導電性突起部３は、図３，４に示すように、ブラケット２の外面２ｂ（第一カバー板部２１の外面２１ｂ）側においてカードスロット４の挿入口４１（第一カバー板部２１のスロット用露出孔２２）を覆うスロットカバー１６を第一カバー板部２１にねじ止めするためのナット部品である。具体的に、導電性突起部３は、第一カバー板部２１に圧入されたクリンチングナットである。図３，４における符号１７は、スロットカバー１６をブラケット２にねじ止めするためのねじを示している。
【００１８】
図５〜７に示すように、本実施形態のカードスロット４は、回路基板１４の主面１４ａに実装されている。回路基板１４の主面１４ａには、カードスロット４の他に、コネクタ１３も実装されている。回路基板１４は、カードスロット４やコネクタ１３を電子機器１の回路（不図示）に電気接続する役割を果たす。コネクタ１３は、電子機器１を他の機器（例えばパソコンやサーバ）と電気接続する役割を果たす。
カードスロット４やコネクタ１３は、例えば、回路基板１４を筐体１０（例えば表示パネルやバックカバー１２）にねじ止め等によって固定することで、第一カバー板部２１の内面２１ａ側に配される。
【００１９】
カードスロット４は、第一カバー板部２１の内面２１ａ側に配された状態で、導電性突起部３と回路基板１４との間に位置するように配される。また、カードスロット４は、ブラケット２の延長板部２５との間に導電性突起部３が位置するように配される。
カードスロット４が第一カバー板部２１の内面２１ａ側に配された状態において、カードスロット４の挿入口４１は、第一カバー板部２１のスロット用露出孔２２を通じて筐体１０の外部に露出する。スロット用露出孔２２は、カードスロット４の挿入口４１がブラケット２によって覆われることを確実に防ぐために、カードスロット４よりも大きく形成されている（特に図７参照）。
【００２０】
図５〜９に示すように、アースバネ５は、固定部５１と、第一接触部５２と、第二接触部５３と、を備える。固定部５１は、ブラケット２の内面２ａ（第一カバー板部２１の内面２１ａ）に固定される。本実施形態の固定部５１は、スロット用露出孔２２の一部領域を覆っている。第一接触部５２は、固定部５１に対してブラケット２の内面２ａから離れる方向（Ｘ軸負方向）に延びている。第一接触部５２は、固定部５１に対して弾性的に変位可能とされている。第一接触部５２は、カードスロット４のうち導電性突起部３に対向する部位に接触可能となっている。第二接触部５３は、ブラケット２の内面２ａから離れた位置において、第一接触部５２から導電性突起部３に向けて延びている。第二接触部５３は、第一接触部５２に対して弾性的に変位可能とされ、導電性突起部３のうちカードスロット４に対向する部位に接触する。
以下、本実施形態のアースバネ５について具体的に説明する。
【００２１】
本実施形態のアースバネ５は、導電性を有する板状部材に折り曲げ加工を施すことで弾性変形可能に形成されている。
固定部５１は、平板状に形成され、第一カバー板部２１の内面２１ａに重なるように配される。固定部５１は、例えば接着等によって第一カバー板部２１の内面２１ａに固定されてよい。
【００２２】
固定部５１は、第一カバー板部２１の内面２１ａのうち、主に第一カバー板部２１に形成されたスロット用露出孔２２よりも導電性突起部３側の領域に配される。本実施形態の固定部５１には、その厚さ方向に貫通して導電性突起部３を挿通させる挿通孔５４が形成されている。すなわち、固定部５１は、その挿通孔５４に導電性突起部３を挿通させた上で、第一カバー板部２１の内面２１ａに固定されている。これにより、スロット用露出孔２２と導電性突起部３との間隔が小さくても、第一カバー板部２１の内面２１ａに対する固定部５１の接触面積を十分に確保することができる。
【００２３】
本実施形態において、第一カバー板部２１の内面２１ａに固定された固定部５１は、図９に示すように、スロット用露出孔２２の貫通方向（Ｘ軸方向）から見た平面視で、スロット用露出孔２２のうちその高さ方向（Ｙ軸方向）において導電性突起部３側に位置する領域を覆う。図９において、固定部５１はスロット用露出孔２２の高さ寸法の半分以上を覆っているが、これに限ることはない。
【００２４】
図５〜８に示すように、本実施形態の第一接触部５２は、固定部５１に対して折り曲げられることで、固定部５１からその板厚方向に離れるように延びる帯板状に形成されている。第一接触部５２を固定部５１に対して折り曲げる部位は、導電性突起部３及びスロット用露出孔２２の配列方向（Ｙ軸方向）において導電性突起部３から離れた固定部５１の端部に位置する。これにより、第一接触部５２は固定部５１に対して導電性突起部３及びスロット用露出孔２２の配列方向に弾性的に撓み変形可能となる。
第一接触部５２は、導電性突起部３に対向するカードスロット４の平坦な面に面接触可能な帯板部５５を有する。また、第一接触部５２は、帯板部５５の延長方向の先端に接続され、帯板部５５に対してカードスロット４から離れるように傾斜して延びる傾斜板部５６を有する。
【００２５】
本実施形態のアースバネ５は、板状に形成された第二接触部５３を二つ備える。二つの第二接触部５３は、帯板状に形成された第一接触部５２（帯板部５５）の両側部から互いに逆向きに延びている。第一接触部５２の両側部は、第一接触部５２の幅方向（Ｚ軸方向）の両端部である。各第二接触部５３は、第一接触部５２から第一接触部５２の幅方向に延びる帯板状に形成されている。二つの第二接触部５３は、第一接触部５２の延長方向（Ｘ軸方向）において互いにずれて位置している。
【００２６】
二つの第二接触部５３は、それぞれ第一接触部５２に対して折り返されることで互いに交差する。第二接触部５３を第一接触部５２に対して折り曲げる部位は、第二接触部５３の延長方向の基端部に位置する。各第二接触部５３は、第一接触部５２に対して９０度よりも大きくかつ１８０度よりも小さい角度で折り返される。これにより、二つの第二接触部５３が互いに交差する。図９において、第二接触部５３を第一接触部５２に対して折り返す角度θは１３５度となっているが、これに限ることはない。第二接触部５３を第一接触部５２に対して折り返す角度θは、二つの第二接触部５３の間で、例えば互いに異なっていてもよいが、本実施形態では互いに等しい。
上記したように二つの第二接触部５３が第一接触部５２に対して折り返されることで、二つの第二接触部５３は、それぞれ第一接触部５２に対して導電性突起部３及びスロット用露出孔２２の配列方向（Ｙ軸方向）に弾性的に撓み変形可能となる。
【００２７】
図９に示すように、二つの第二接触部５３のうち互いに交差する部分よりも第二接触部５３の延長方向の先端側の部位５７は、前述した導電性突起部３に接触する。
第一接触部５２の幅方向（Ｚ軸方向）における二つの第二接触部５３の先端５８同士の間隔Ｉ１は、少なくとも第一接触部５２の幅方向における導電性突起部３の寸法Ｗ１よりも大きいとよい。例えば、導電性突起部３が円柱状の外観を有する場合、二つの第二接触部５３の先端５８同士の間隔Ｉ１は、導電性突起部３の直径寸法よりも大きければよい。本実施形態のように導電性突起部３が正多角形（図示例では六角形）の外観を有する場合、二つの第二接触部５３の先端５８同士の間隔は、導電性突起部３の正多角形の外接円Ｃ１の直径の寸法Ｗ１よりも大きければよい。この場合、第二接触部５３の先端５８が導電性突起部３に突き当たって、第一接触部５２に対する第二接触部５３の弾性的な撓み変形を阻害することを防止できる。
【００２８】
以上のように構成される本実施形態の電子機器１を組み立てる際には、はじめに、図６に示すように、ブラケット２（第一カバー板部２１）に対して導電性突起部３及びアースバネ５を固定すればよい。その後、ブラケット２と、カードスロット４が搭載された回路基板１４とを、それぞれ表示パネルやバックカバー１２に取り付ける等することで、図５に示すように、カードスロット４をブラケット２に対して取り付ければよい。
【００２９】
この状態では、導電性突起部３とカードスロット４との間にアースバネ５の第一接触部５２及び第二接触部５３が挟み込まれる。これにより、アースバネ５の第一接触部５２は、カードスロット４に押されて固定部５１に対して弾性的に撓み変形する。この撓み変形によって生じる弾性力によって、第一接触部５２がカードスロット４に押し付けられる。また、アースバネ５の二つの第二接触部５３は、それぞれ上記した第一接触部５２の撓み変形に応じて、第一接触部５２に対して弾性的に撓み変形する。この撓み変形によって生じる弾性力によって、二つの第二接触部５３が導電性突起部３に押し付けられる。
以上により、導電性突起部３とカードスロット４とをアースバネ５によって確実に電気接続して、カードスロット４のアース（接地）を十分に確保できる。
【００３０】
以上説明したように、本実施形態の電子機器１によれば、導電性突起部３をカードスロット４の近くに配することで、筐体１０の大きさに関わらず、アースバネ５の小型化を図ることができる。
また、本実施形態の電子機器１によれば、アースバネ５の固定部５１がブラケット２の内面２ａに固定され、アースバネ５の第一接触部５２及び第二接触部５３が導電性突起部３に対してブラケット２の内面２ａに沿う方向（Ｙ軸方向）に隣り合わせて配される。このため、電子機器１を組み立てる際に、作業者がアースバネ５に触れる等してアースバネ５が変形することを効果的に抑えることができる。その結果として、カードスロット４の接地不良を抑制することができる。
【００３１】
また、本実施形態の電子機器１によれば、アースバネ５の二つの第二接触部５３が互いに交差するように第一接触部５２に対して折り返される。さらに、二つの第二接触部５３のうち互いに交差する部分よりも第二接触部５３の延長方向の先端側の部位５７が、導電性突起部３に接触する。具体的には、二つの第二接触部５３が導電性突起部３を挟み込むように導電性突起部３に接触する。このため、アースバネ５によるカードスロット４の押し付けに偏りが生じることを好適に抑制できる。すなわち、第一接触部５２を安定にカードスロット４に押し付けることができる。
【００３２】
また、本実施形態の電子機器１によれば、アースバネ５の固定部５１が、スロット用露出孔２２の一部領域を覆っている。このため、ブラケット２のスロット用露出孔２２がカードスロット４よりも大きく形成され、カードスロット４とスロット用露出孔２２との間に隙間Ｇ１（図７参照）があっても、この隙間Ｇ１を固定部５１によって埋めることができる。これにより、カード型記憶媒体がカードスロット４とスロット用露出孔２２との間の隙間Ｇ１に誤って挿入されることを防止できる。
また、アースバネ５がカード型記憶媒体の誤挿入を防止する機能を兼用することで、隙間Ｇ１を埋めるための部材を別個に用意する必要がない。したがって、電子機器１の構成部品点数を少なく抑え、電子機器１の組立工数や製造コストの削減を図ることができる。
【００３３】
また、本実施形態の電子機器１では、導電性突起部３がスロットカバー１６をブラケット２にねじ止めするためのナット部品を構成している。すなわち、スロットカバー１６をブラケット２に取り付けるためのナット部品が、カードスロット４をアース（接地）するための部品としても機能する。このため、カードスロット４をアース（接地）するための部品を別個に用意する必要がない。したがって、電子機器１の構成部品点数を少なく抑え、電子機器１の組立工数や製造コストの削減を図ることができる。
【００３４】
以上、本発明に係る電子機器の一実施形態について説明したが、本発明は上記の実施形態に限定されるものではなく、その趣旨を逸脱しない範囲において適宜変更可能である。
【００３５】
アースバネ５の第二接触部５３は、例えば図１０に示すように、第一接触部５２の延長方向の先端において第一接触部５２に対して折り返されることで、導電性突起部３に向けて延びてもよい。この場合、第二接触部５３の延長方向の先端が導電性突起部３に突き当たらないように、図示例のように第二接触部５３はその延長方向の中途部において折り曲げられるとよい。
また、ブラケット２の内面２ａに固定されるアースバネ５の固定部５１は、例えば図１０に示すように、スロット用露出孔を覆わないようにブラケット２の内面２ａに固定されてもよい。
【００３６】
本発明の電子機器は、カード型記憶媒体に記憶された映像情報や画像情報を表示するモニター（例えばマルチモニタシステムなどに利用されるモニター）等の表示装置に適用可能である。また、本発明の電子機器は、カード型記憶媒体に記憶された映像情報や画像情報を再生する再生装置、映像情報や画像情報をカード型記憶媒体に記憶させる記憶装置などにも適用可能である。再生装置には、プロジェクタなどが含まれてよい。
【符号の説明】
【００３７】
１  電子機器
２  ブラケット
２ａ  内面
２ｂ  外面
３  導電性突起部
４  カードスロット
５  アースバネ
１６  スロットカバー
２２  スロット用露出孔（露出孔）
４１  挿入口
５１  固定部
５２  第一接触部
５３  第二接触部
【図１】
2019125503.tif 000003
【図２】
2019125503.tif 000004
【図３】
2019125503.tif 000005
【図４】
2019125503.tif 000006
【図５】
2019125503.tif 000007
【図６】
2019125503.tif 000008
【図７】
2019125503.tif 000009
【図８】
2019125503.tif 000010
【図９】
2019125503.tif 000011
【図１０】
2019125503.tif 000012